(57)【要約】【課題】  本発明はタグを用いた荷物管理方法の信頼性を向上させる。【解決手段】  中性子照射式荷物検査の際、タグ（ＴＧ１）に印刷されたインク組成物に中性子照射を実施する。インク組成物に含まれる物質は核変換を起こして、その任意の組成比に応じた固有の放射線エネルギー分布及び／又は放射線強度を保持する。このことより従来の印刷パターン情報に加えて放射線エネルギー分布及び／又は放射線強度からなる放射線情報をタグに付与させる。また、印刷パターン情報と放射線情報を管理コンピュータ（ＰＣ０）に集約して、荷物の出発地、乗継地、到着地の検査場で共有する。【選択図】  図１
2005300761.tif 000002
【特許請求の範囲】
【請求項１】
旅客荷物の受付場所において、荷物に関する情報を、中性子照射により核変換を起こす物質を含むインク組成物でタグに印刷パターンとして記録し、そのタグを荷物に添付する第１の手順と、
タグを添付された荷物に中性子照射式荷物検査実施時に、タグの印刷パターンを読み取り、荷物を特定した後、タグに印刷されたインク組成物に核変換で生じた放射線を測定することで、指定の荷物に中性子照射式荷物検査が実施されたことを認定する第２の手順と、
旅客荷物の乗り継ぎ場所及び／又は受け渡し場所において、中性子照射式荷物検査の後、タグに印刷されたインク組成物に核変換で生じた放射線の変化を測定することで、中性子照射式荷物検査実施後の経過時間を判別する第３の手順、
を含むことを特徴とする荷物管理方法。
【請求項２】
前記第１の手順において取得した旅客荷物の情報と前記第２の手順において測定した放射線エネルギー分布及び／又は放射線強度情報を管理用コンピュータに記録して、その情報を荷物の出発地、乗継地、到着地で共有すること、
を特徴とする請求項１に記載の荷物管理方法。
【請求項３】
前記第３の手順において、測定した放射線エネルギー分布及び／又は放射線強度情報を、前記管理用コンピュータに記録された放射線エネルギー及び／又は放射線強度情報と比較することにより、中性子照射式荷物検査実施後の経過時間を判別して、異常な旅客貨物を抽出すること
を特徴とする請求項２に記載の荷物管理方法。
【請求項４】
前記第３の手順において、測定した放射線エネルギー分布及び／又は放射線強度情報を、前記管理用コンピュータに記録された放射線エネルギー分布及び／又は放射線強度情報と比較することにより、タグのインク組成物の中性子照射式荷物検査実施後の経過時間を判別し、タグの印刷パターン情報に記載された中性子照射式荷物検査実施時刻とを照合することで、タグの印刷された時間を特定し、偽造を防ぐこと、
特徴とする請求項２又は３に記載の荷物管理方法。
【請求項５】
インク組成物中に中性子照射により核変換を起こす物質を含有した核変換インクを用いて、タグ上に印刷パターンとして記録されたことを特徴とする中性子照射タグ。
【請求項６】
測定した放射線エネルギー分布及び／又は放射線強度情報により、タグの真偽判別機能を有することを特徴とする請求項５に記載の中性子照射タグ。
【請求項７】
インク組成物中に中性子照射により核変換を起こす物質を含有した核変換インク。
【請求項８】
中性子照射により核変換を起こす物質が、ガドリニウム、ユーロピウム、ジスプロシウムから選択される１種以上であることを特徴とする請求項７に記載の核変換インク。
【請求項９】
中性子照射により核変換を起こす物質を含有した核変換インクが、ベースフィルムの少なくとも一方の表面上に塗布され、熱及び／又は圧力により被印刷物に転写するように調整された感熱転写材。
【発明の詳細な説明】
【技術分野】
【０００１】
本発明は、タグを用いた旅客荷物管理方法、印刷用インク、及び感熱転写材に関するものである。
【背景技術】
【０００２】
国際情勢の不安定化に伴い、旅客手荷物に対するセキュリティ対策が急務となっている。特に、爆発物検知等の種々の対策が考えられているが、更に高度な旅客手荷物を検査する必要がある。
【０００３】
従来の航空手荷物の管理方法では、偽造困難な形で検査実施記録を残せない点に問題があった。行き先及び重量など手荷物に関するデータは、チェックインカウンターで荷物を預ける際、紙製又はビニール製のタグにバーコード及び文字で印刷される。その後、航空手荷物検査を受けて合格した荷物は仕分けされ、指定の飛行機に積み込まれる。検査を実施した認証は、封印を示すシール等を手荷物に貼付する方法がとられている。これらのタグ及びシールは汎用のインクで印刷されたものであり、偽造することは容易である。
【０００４】
下記特許文献１には、偽造防止のために透明な赤外光吸収インク、蛍光インク等を用いたタグも考案されている。被印刷物に印刷パターンを書くということは従来通りであり、印刷パターンが確認されて、同等のインク組成物が手に入れば偽造が可能となってしまう問題点がある。
【０００５】
下記特許文献２には、偽造防止を印刷パターンのみに依存せず、磁気インクとしてインク組成物に情報を付与しようとするものもある。この方法の問題点としては、磁気インク組成物に含まれる強磁性体が容易に入手できることと、強磁性体の極性は電磁石等による強磁場を用いれば変更が可能であり、情報が改ざんされてしまうことである。
【特許文献１】特開２００３−１２７４９４号公報
【特許文献２】特開２００２−９９８８１号公報
【発明の開示】
【発明が解決しようとする課題】
【０００６】
上記のように、荷物管理用タグの印刷パターンは偽造が容易で従来からのタグを用いた荷物管理方法の信頼性には問題がある。本発明は、タグを用いた荷物管理方法の信頼性を向上させることを目的としている。
【課題を解決するための手段】
【０００７】
本発明は、核物質が特有の半減期を有することを利用するものである。即ち、中性子を照射した際の初期の放射線データから所定時間後の放射線エネルギー分布及び／又は放射線強度を予測し、これを実際にカウントされる放射線データと対比するものである。
【０００８】
本発明は中性子照射式荷物検査の際、タグに印刷されたインク組成物に中性子照射を実施する。それによりインク組成物に含まれる物質に核変換を起こして、その任意の組成比に応じた固有の放射線エネルギー分布及び／又は放射線強度を付与させたことを特徴としている。また、付与した放射線情報と印刷パターン情報を管理コンピュータに集約して、荷物の出発地、乗継地、到着地で共有することを特徴としている。
【発明の効果】
【０００９】
本発明の荷物管理方法に用いられる中性子源以外に中性子照射して核変換を起こすには、原子炉や加速器を備えた大規模な施設が必要となる。したがって本発明で付与した放射線エネルギー分布及び／又は放射線強度情報を偽造することは困難である。これにより従来の印刷パターン情報と放射線エネルギー分布及び／又は放射線強度からなる放射線情報を組み合わせることでタグの信頼性を強化したことを利点としている。また、放射線強度の時間変化を測定することで中性子照射を実施してからの経過時間情報を得ることができることを利点としている。
【発明を実施するための最良の形態】
【００１０】
以下、図を参照しながら、本発明を説明する。
【実施例１】
【００１１】
本発明を航空手荷物検査に適用した実施例を説明する。図１に出発空港での手荷物検査の流れを、図２に該フローチャートを示す。チェックインカウンターにおいて少なくとも手荷物番号、搭載機、旅客行程、所有者、重量等の荷物に関する情報が端末コンピュータＰＣ１に入力される。その後、本発明のインク組成物を用いて該情報がバーコード又は文字で印刷された手荷物ＩＤタグＴＧ１が発行されて、手荷物に取り付けられる。該情報は管理用コンピュータＰＣ０に集約されて乗り継ぎ空港及び／又は到着空港と共有される。
【００１２】
図１に示すように、手荷物ＩＤタグＴＧ１を取り付けられた手荷物１はＸ線検査装置３及び中性子照射式検査装置４にて検査を受ける。該検査に合格した手荷物２は検査直後にタグ読み取り装置５で手荷物ＩＤタグＴＧ１に印刷された情報を読み取って荷物を特定され、放射線検出器６でタグの放射線エネルギー分布情報及び／又は放射線強度情報が計測される。該情報は管理用コンピュータＰＣ０に集約される。
【００１３】
一方、該検査に不合格の荷物は、開被検査を受ける。この開被検査は、荷物の所有者立会いのもとに行われる。開被検査に合格した場合は、タグ読み取り装置で手荷物ＩＤタグＴＧ１に印刷された情報を読み取って荷物を特定し、放射線検出器６でタグの放射線情報（放射線エネルギー及び／又は放射線強度）が計測される。該情報は管理用コンピュータＰＣ０に集約される。その後、手荷物は仕分けをされて機内に搭載される。もし開被検査にも不合格の場合には警察当局に連絡して処置される。
【００１４】
次に、乗り継ぎ空港での手荷物検査の流れを図３に、該フローチャートを図４に示す。乗り継ぎ空港で新たに積み込まれる手荷物７は、前記した出発空港と同様の管理方法を受ける。
【００１５】
乗り継ぎ空港に到着し、次の飛行機に搭載される荷物８は機内に搭載される前に、タグ読み取り装置５で手荷物ＩＤタグＴＧ１に印刷された情報を読み取り特定され、放射線検出器６でタグの放射線情報（放射線エネルギー及び／又は放射線強度）が計測される。該情報を管理用コンピュータＰＣ０に集約して出発空港における放射線情報との照合を行う。中性子照射式検査終了後、タグＴＧ１の持つ放射線は核変換を受けた元素特有の半減期に従って減衰するので、検査終了からの経過時間が判定される。予想される放射線情報から逸脱している荷物は、検査を受けずに機内へ搭載しようとする意図で、乗り継ぎ荷物に混入された疑いがある。したがって、新規に搭載される手荷物と同様に検査を行う管理方法をとることとなる。
【実施例２】
【００１６】
図５に本発明のインク組成物を用いてタグを印刷した例を示す。被印刷物９に対し、本発明のインク組成物又は感熱転写材で印刷した塗膜を拡大したものである。被印刷物９は、金属、紙、布などインクが付着するものならば何でも良い。
【００１７】
被印刷物９に印刷された塗膜に中性子を照射することで、インク組成物１０に含有されたガドリニウムやユーロピウム等が核変換を起こす。表１に核変換する核種及び、その放射線の例を示す。ガドリニウム１５８は中性子を吸収してガドリニウム１５９に核変換され、β崩壊を起こす。その際、原子核特有の励起状態に基づくエネルギーのγ線（0.364、0.348、0.226、0.080、0.058MeV）を放出する。また、ユーロピウム１５１は中性子を吸収してユーロピウム１５２ｍに変換され、特定の割合でβ崩壊又は電子捕獲をして、原子核特有の励起状態に基づくエネルギーのγ線（0.963、0.841、0.344、0.122MeV）を放出する。それぞれの生成核種の放出するγ線強度は、核種特有の半減期に従って減衰することになる。
【００１８】
【表１】
2005300761.tif 000003
【００１９】
上記のインク組成物１０に含まれる核変換物質の組成比を変化させると、中性子照射で任意のエネルギー分布及び／又は強度を持った放射線を印刷物に保持させることができる。また、この放射線減衰を測定することにより中性子照射後の経過時間を特定することができる。
【００２０】
インク組成物１０は、バインダとして熱可塑性樹脂・ワックス・可塑剤・分散材等、核変換する物質としてガドリニウムやユーロピウム等、で構成される。
【００２１】
本発明のインキは、上記のように航空機荷物を識別するためのタグとして好適である他、その特性を利用して、他の用途にも用いることができる。例えば、半減期が比較的長いものを核変換物質として用いることにより、本発明のインキを偽造防止用インキとして用いることができる。特に商品券や入場券等、ライフサイクルの短い有価証券類の偽造防止に役立つ。
【００２２】
本発明のインキは、中性子照射により核変換を起こす物質の微粉末をビヒクル中に分散してインキ化したもので、結着剤、分散剤及び助剤の種類を適宜選択し、それらの混合比率などを調整することによりグラビア印刷用、オフセット印刷用、スクリーン印刷用などの各種印刷用のインキにすることができる。また、インクジェット用インキとしても用いることができる。インキ化に当たっては、更に色素、顔料と混合することも可能である。
【００２３】
バインダとなる熱可塑性樹脂としては、ポリ塩化ビニル樹脂、塩化ビニル−酢酸ビニル共重合体樹脂、塩化ビニル−酢酸ビニル−ビニルアルコール共重合体樹脂、塩化ビニル−酢酸ビニル−マレイン酸共重合体樹脂、塩化ビニル−アクリレート共重合体樹脂、ポリ塩化ビニリデン樹脂、塩化ビニリデン−塩化ビニル共重合体樹脂、塩化ビニリデン−アクリロニトニル重合体樹脂、ポリエステル樹脂、ポリアミド樹脂、（メタ）アクリル樹脂、シリコーン樹脂等が挙げられる。
【００２４】
本発明のインキには、従来公知の水溶性有機溶剤、各種の分散剤、粘度調整剤、蛍光増白剤、紫外線吸収剤、酸化防止剤、界面活性剤、消泡剤等を必要に応じて添加することができる。それらの例を以下に示す。メタノール、エタノール、プロパノール等の炭素数１−４のアルキルアルコール等の有機溶剤、セルロース類、ポリビニルピロリドン、ポリビニルアルコール、水溶性樹脂等の水溶性の天然あるいは合成高分子物を粘度調整剤として、更に、緩衝液によるｐＨ調整剤、防カビ剤等を挙げることができる。
【００２５】
図６に本発明のインク組成物１０を用いて印刷した手荷物ＩＤタグのパターンの１例を示す。バーコードパターン１１や文字・数字パターン１２を印刷して手荷物の情報を記録する。バーコードパターン１１としては、公知のバーコードを使用する。例としては、ＪＡＮ−８、Ｃｏｄｅ39、Ｃｏｄｅｂａｒなどの一次元バーコード、ＱＲコード、ＭＡＸＩ ＣＯＤＥなどの二次元バーコードが考えられる。
【００２６】
以上より本発明のインク組成物を用いることで印刷物にはバーコード及び文字情報に加えて放射線情報及び時間情報も付与できることになる。また、荷物検査に用いられる中性子源以外に中性子を発生して核変換を起こすには、原子炉や加速器を備えた大規模な施設が必要であり、本発明によって従来の印刷物に偽造困難な形態で情報を付与することが可能になったことを意味する。
【産業上の利用可能性】
【００２７】
既存のＩＤタグの印刷インキを変更するだけで、各段に向上したセキュリティ対策を容易に導入することができる。よって、本発明は社会的に利用価値が高い。
【図面の簡単な説明】
【００２８】
【図１】本発明を用いた、出発空港における航空手荷物管理方法を示す概念図である。
【図２】本発明を用いた、出発空港における航空手荷物管理方法のフローチャートである。
【図３】本発明を用いた、乗継空港における航空手荷物管理方法を示した概念図である。
【図４】本発明を用いた、乗継空港における航空手荷物管理方法のフローチャートである。
【図５】本発明のインク組成物を用いたタグの印刷の模式図である。
【図６】本発明のインク組成物でタグに印刷をしたパターンの例である。
【符号の説明】
【００２９】
ＴＧ１：出発空港で取付けられた手荷物ＩＤタグ、ＴＧ２：乗継空港で取付けられた手荷物ＩＤタグ、ＰＣ０：管理コンピュータ、ＰＣ１：端末コンピュータ。
１：タグを取り付けられた手荷物、２：中性子照射式手荷物検査を受けた手荷物、３：Ｘ線検査装置、４：中性子照射式検査装置、５：タグ読取り装置、６：放射線検出器、７：乗継空港で新たに積み込まれる手荷物、８：出発空港から到着して乗り継ぐ荷物、９：被印刷物、１０：インク組成物、１１：バーコードパターン、１２：文字・数字パターン。
【図１】
2005300761.tif 000004
【図２】
2005300761.tif 000005
【図３】
2005300761.tif 000006
【図４】
2005300761.tif 000007
【図５】
2005300761.tif 000008
【図６】
2005300761.tif 000009